(57)【要約】【課題】  衣類は形状も大きさも様々でたたむと不揃いの大きさになりやすく収納しにくい。また、たたむ作業も手間と時間がかかった。従来の衣類をたたむ発明では、使い勝手が悪いこと、あるいは、広いスペースを必要とすることや収納場所に困るなどの問題があった。これらの問題を解決するハンガーの提供。【解決手段】  ハンガー本体に衣類の折りたたみ機能を設ける。折りたたみ機能とは、例えばハンガー肩棒の中央付近に回転軸を設けること、その下方に伸びるガイド枠を設けることで衣類がハンガーに掛かった状態で簡単に折りたためる。その効果として、ハンガーを衣類と一緒に収納できるうえ、衣類の大きさや形を均一にすることができる。【選択図】図１
2011067577.tif 000002
【特許請求の範囲】
【請求項１】
ハンガー本体に衣類の折りたたみ機能を設けたことを特徴とするハンガー。
【請求項２】
前記折りたたみ機能は、衣類を掛けるハンガー基部と左右のハンガー肩棒の間接部に回転軸を設置し、その回転軸を中心に左右のハンガー肩棒を後方または前方へ回転させることで衣類をたたむことを特徴とする請求項１記載のハンガー。
【請求項３】
従来のハンガーの形状を維持しつつ、ハンガー基部と左右のハンガー肩棒の間接部に回転軸を設置および、容易に折りたたむ為に凹型に展開できるガイド枠を新たに設けることにより、衣類を掛け、吊るした状態でも衣類の折りたたみを可能にした請求項１記載のハンガー。
【発明の詳細な説明】
【技術分野】
【０００１】  この発明は、衣類等を掛けるのに用いるハンガーの機能に関する。
【背景技術】
【０００２】  従来の衣類等を掛けるのに用いるハンガーの折りたたみ機能は衣類を掛けやすくするためにハンガーの本体の形状を変える機能が設けられたものである。（特許文献１参照。）【０００３】  また、日本でのハンガーの目的は、洗濯後に衣類に通して、乾かす目的が一般的である。その後、乾いた衣類はハンガーを取り外し、タンスなどに収納するのであるが、衣類は形状や大きさも様々で、たたむ作業は手間がかかる上、たたみ終わった際に形状や大きさを均一にする事が難しい。それを解決する方法として、平板状の板を衣類に重ねてたたんでいた。今日では改良が加えられ、衣類折りたたみプレス機の技術も提供されている。【０００４】  このことから、ハンガーと平板状の中心枠を組み合わせた発明がなされた。その詳細はハンガーで干し、乾かした衣類をハンガーから取り外すのではなく、ハンガーの形状を平板状の中心枠へと変形させ、その上で衣類をたたむものである。（特許文献２参照。）
【特許文献１】  特開２００２−２４８０４６号広報
【特許文献２】  特開平１０−２６２８０１号広報
【発明の開示】
【発明が解決しようとする課題】
【０００５】  以上の技術にはそれぞれ問題がある。まず、今日では衣類を収納する際にそのままハンガーを使うクローゼットの普及が進んでいるが、日本の文化背景からみて、多くの場合、ハンガーは洗濯時に衣類を干す時のみの使用で、衣類の収納にはタンスが用いられるため、未使用時のハンガーは場所をとり収納に困る。従来の折りたたみハンガーは形状が変わる工夫が施されているとはいえ、収納に関しては根本的な解決がされていない。【０００６】  また、従来のたたみ方は平板状の板あるいは、衣類折りたたみプレス機では、衣類を１枚折りたたむ度に平板状の板あるいは、衣類折りたたみプレス機本体に衣類を所定の位置に置き直さなければならない。そのうえ、衣類折りたたみプレス機はたたまれた洋服約９枚分もの大きさがあり、衣類折りたたみプレス機本体を固定する安定したスペースが必要といった問題もある。ついで、収納時においてもその大きさから不便な点がみられる。【０００７】  特許文献２が提供する中心枠兼用ハンガーでは、この中心枠兼用ハンガーを使用して、衣類をたたんだ際、衣類からハンガーを取り出すのは困難であり、衣類の中に入れた状態ではハンガーの出っ張った部分が非常に邪魔になる問題点がある。未使用時に関しても、収納に嵩張るそのいびつな形状は多数を所有しなくてはならないハンガーに関して不適切であり、毎回平板状の板を衣類に置きなおす以上の不便さがみられる。
【課題を解決するための手段】
【０００８】  以上の課題を解決するために、第１発明は、ハンガー本体に衣類の折りたたみ機能を設けたことを特徴とするハンガーである。また、第２発明は、衣類を掛けるハンガー基部と左右のハンガー肩棒の間接部に回転軸を設置し、その回転軸を中心に左右のハンガー肩棒を後方または前方へ回転させることで衣類をたたむことを特徴とするハンガーである。そして、第３発明は、従来のハンガーの形状を維持しつつ、ハンガー基部と左右のハンガー肩棒の間接部に回転軸の設置および、容易に折りたたむ為のガイド枠を設けることにより、衣類を掛け、吊るした状態でも衣類の折りたたみを可能にしたハンガーである。
【発明の効果】
【０００９】  第１発明、また第２発明、第３発明によれば、ハンガー本体に折りたたみ機能を設けることで、簡単に衣類をたため、時間短縮と均一の大きさにすることができるうえ、たたんだ衣類と共にタンスなどにしまえるため、収納場所に困らない。応用として旅行や出張に行く場合もキャリーケースの中で衣類と一緒に収められ、場所を取らない。また、未使用時に衣類をたたむ要領でハンガーを折りたためば子供用ハンガー程度の大きさにもなり、従来のものより小さく収納できるし、この機能を応用して子供用ハンガーとして使用することもできる。【００１０】  本ハンガーを使用して衣類を折りたたむ際に、必ずしも床などの安定した場所を必要としないため、乾いた洗濯物を取り込む作業に一手間掛けるだけで衣類をたたんだ状態で取り込むことも可能である。
【発明を実施するための最良の形態】
【００１１】  この発明の基本実施形態を、図面を参照して説明すると、図１において、ハンガー基部１に取り付けられたフック部２は回転させて内に収める形式、前後に折りたたむ形式、あるいはスライドしてハンガー基部１に内蔵するなどの形式でフック部２を収納する仕組みを接合部７に取り入れると良い。
ハンガー基部１に固定されているハンガー肩棒３、４は間接部に回転軸１０、１１を設けて後方又は前方に１８０度程回転できるように設置する。
ハンガー基部１とハンガー肩棒３、４の間接部に設けた回転軸１０、１１の真下にはＬ字型アーム棒５、６をそれぞれ設置し、Ｌ字型アーム棒５、６が９０度程回転できるよう、回転軸８、９を設け、凹型に展開できるようにする。そして、凹型に展開したＬ字型アーム棒５、６の外枠部分は衣類をたたんだ際に丁度良い大きさになるよう、調節された長さで設置する。
本ハンガーを使って衣類をおりたたんだ状態で更に２つ折りにしたい場合は、あらかじめハンガー本体に２つ折りのポイントに間接部を設けると良い。【００１２】  以上の機能を取り入れ、展開させた図面が図２である。図２では、ハンガー基部１に設置されているフック部２を収納しており、ハンガー肩棒３、４の双方とも後方又は前方にそれぞれ１８０度回転した後、Ｌ字型アーム棒５、６は９０程回転させ凹型に展開した形を取っている。【００１３】「実施形態の効果」
この実施形態によれば、ハンガー肩棒３、４を１８０度回転することによって、衣類をハンガーにかけた状態で左右対称に衣類を折りたたむことができる。１度折りたたんでしまえば、ハンガー肩棒３、４が固定してくれるのでその後に崩れる心配がないので、空いた手で衣類の裾を揃え凹型に展開したＬ字型アーム棒５、６のガイドに沿って裾を折りたたむと均一の形状で折りたたむことができる。なお、余った裾をハンガー肩棒３、４の内側に折りたたむと裾が固定され衣類全体が崩れる心配がなく吊るした状態でも形状を保つことができる。【００１４】「他の実施形態」
図２の実施形態では、Ｌ字型アーム棒５、６は９０度回転させ凹型にした形を取っている。としたが、この図２の形状が本ハンガーの折りたたみ時の基本形であり、この形になる方法であればＬ字型のアーム棒を用いらなくても、その他、折りたたみ式のアーム棒を使用する、または、Ｌ字型アーム棒をスライドして長さを延長するなど問わないものとする。また、低コストで製造するなどの場合、図４のように、機能性には劣るが、Ｌ字アームを省略した形状でも本機能は果たせるので、用途にあった形状や作りに変えると良い。
それとは別に機能性を向上させようとするなら、Ｌ字型アーム棒５、６を凹型に展開した状態でＬ字型アーム棒５、６をハンガー肩棒３、４と外回りに３６０度程回転させれば、ハンガー肩棒３、４とＬ字型アーム棒５、６で衣類を固定できるので、よりしっかり衣類を折りたたんだ状態で保持することができる。
【符号の説明】
【００１５】１  ハンガー基部
２  フック部
３、４  ハンガー肩棒
５、６  Ｌ字型アーム棒
７  フック接合部
８、９  Ｌ字型アーム棒の回転軸
１０、１１  ハンガー肩棒の回転軸
【図面の簡単な説明】
【００１６】
【図１】本発明の折りたたみ式ハンガーの正面図である。
【図２】本発明の折りたたみ式ハンガーの展開後の正面図である。
【図３】本発明の折りたたみ式ハンガーのハンガー肩棒のみ展開の正面図である。
【図４】本発明の折りたたみ式ハンガーのＬ字型アーム部を省略した他の実施例である。
【図１】
2011067577.tif 000003
【図２】
2011067577.tif 000004
【図３】
2011067577.tif 000005
【図４】
2011067577.tif 000006